(57)【特許請求の範囲】
【請求項１】
無線通信システムにおける端末により実行されるセル再選択方法であって、前記方法は、
ＲＲＣ（Ｒａｄｉｏ  Ｒｅｓｏｕｒｃｅ  Ｃｏｎｎｅｃｔｉｏｎ）接続拒絶メッセージを介して第１の優先順位情報を受信することであって、前記第１の優先順位情報は、現在の周波数が非優先化されるかを示す、ことと、
現在のセルからシステム情報を介して第２の優先順位情報を受信することと、
前記端末の状態に基づいて前記第１の優先順位情報及び前記第２の優先順位情報のうちの一つを選択的に適用することでセル再選択を実行することと
を含み、
前記端末の状態が任意セルキャンプ状態にある場合に、前記端末は、前記セル再選択の実行のために前記第２の優先順位情報を適用し、前記端末は、前記セル再選択の実行のために前記第１の優先順位情報を適用することなしに、前記第１の優先順位情報を保存し、
前記端末の状態が正規キャンプ状態にある場合に、前記端末は、前記セル再選択の実行のために前記第１の優先順位情報を適用し、
前記現在の周波数が非優先化される期間を示すためにタイマ値が用いられ、
前記タイマ値とともに前記ＲＲＣ接続拒絶メッセージが受信されると、特定タイマが開始され、前記特定タイマの満了時に前記現在の周波数の非優先化が中断される、方法。
【請求項２】
前記現在の周波数は、少なくとも１つの周波数を最低優先順位に下げることにより、非優先化される、請求項１に記載の方法。
【請求項３】
無線通信システムで動作する無線装置であって、前記無線装置は、
無線信号を送信または受信するＲＦ（Ｒａｄｉｏ  Ｆｒｅｑｕｅｎｃｙ）部と、
前記ＲＦ部と機能的に結合して動作するプロセッサと
を含み、前記プロセッサは、
ＲＲＣ（Ｒａｄｉｏ  Ｒｅｓｏｕｒｃｅ  Ｃｏｎｎｅｃｔｉｏｎ）接続拒絶メッセージを介して第１の優先順位情報を受信することであって、前記第１の優先順位情報は、現在の周波数が非優先化されるかを示す、ことと、
現在のセルからシステム情報を介して第２の優先順位情報を受信することと、
端末の状態に基づいて前記第１の優先順位情報及び前記第２の優先順位情報のうちの一つを選択的に適用することでセル再選択を実行することと
を実行するように構成され、
前記端末の状態が任意セルキャンプ状態にある場合に、前記端末は、前記セル再選択の実行のために前記第２の優先順位情報を適用し、前記端末は、前記セル再選択の実行のために前記第１の優先順位情報を適用することなしに、前記第１の優先順位情報を保存し、
前記端末の状態が正規キャンプ状態にある場合に、前記端末は、前記セル再選択の実行のために前記第１の優先順位情報を適用し、
前記現在の周波数が非優先化される期間を示すためにタイマ値が用いられ、
前記タイマ値とともに前記ＲＲＣ接続拒絶メッセージが受信されると、特定タイマが開始され、前記特定タイマの満了時に前記現在の周波数の非優先化が中断される、無線装置。
【請求項４】
前記現在の周波数は、少なくとも１つの周波数を最低優先順位に下げることにより、非優先化される、請求項３に記載の無線装置。
【発明の詳細な説明】
【技術分野】
【０００１】
本発明は、無線通信に関し、より詳しくは、無線通信システムにおいて、優先順位ハンドリングに基づくセル再選択方法とそれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近は３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
モバイル装置（ｍｏｂｉｌｅ  ｄｅｖｉｃｅ）としての端末の移動性により、現在端末に提供されるサービスの品質が劣化され、またはよりよいサービスを提供することができるセルが検知されることができる。したがって、端末は、新しいセルに移動することができ、このような動作を端末の移動実行という。
【０００４】
セル再選択手順において、端末は、周波数の優先順位に基づいてターゲットセル（ｔａｒｇｅｔ  ｃｅｌｌ）を選択する。端末は、セルのシステム情報を介して、または専用シグナリングを介して優先順位と関連している情報を取得することができる。端末は、接続設定メッセージの送信を介してターゲットセルへの接続を試みる。ターゲットセルへの接続が完了すると、端末は、ターゲットセルからサービスの提供を受けることができる。
【０００５】
端末の特定セルへの接続確立要求は拒絶されることができ、それによって、端末は、セル再選択手順を再び実行することができる。場合によって、端末は、接続確立の要求が拒絶されたセルの周波数または該当セルのＲＡＴ（Ｒａｄｉｏ  Ａｃｃｅｓｓ  Ｔｅｃｈｎｏｌｏｇｙ）に対し、セル再選択時、最低優先順位を適用するように設定されることができる。それによると、前記周波数または前記ＲＡＴの全ての周波数の優先順位は、ネットワークにより設定された他の優先順位より低いと考慮されることができる。
【０００６】
接続確立拒絶による優先順位の低下が適用中に端末の状態が変更されることができ、この場合も端末が持続的に特定周波数及び／または特定ＲＡＴの周波数に最低優先順位を適用することは、端末運営側面で適合しない。したがって、端末の状態によって、選択的に優先順位を適用する方式の優先順位ハンドリングに基づくセル再選択方法が提案される必要がある。
【発明の概要】
【発明が解決しようとする課題】
【０００７】
本発明が解決しようとする技術的課題は、無線通信システムにおいて、優先順位ハンドリングに基づくセル再選択方法とそれをサポートする装置を提供することである。
【課題を解決するための手段】
【０００８】
一態様において、無線通信システムにおける端末により実行されるセル再選択方法が提供される。前記方法は、少なくとも一つの周波数に対する第１の優先順位情報を受信し、前記少なくとも一つの周波数に対する第２の優先順位情報を受信し、及び前記端末の状態によって、前記第１の優先順位情報及び前記第２の優先順位情報のうちいずれか一つを選択的に適用することでセル再選択を実行することを含む。前記第１の優先順位情報は、接続拒絶メッセージを介して提供され、前記少なくとも一つの周波数に対する優先順位が低下されることを指示する。前記第２の優先順位情報は、現在セルからシステム情報を介して提供される。
【０００９】
前記セル再選択を実行することは、前記少なくとも一つの周波数が最低優先順位になることを考慮することによって、前記セル再選択に前記第１の優先順位情報を適用することを含む。
【００１０】
前記第１の優先順位情報を適用することは、前記端末が正規キャンプ状態（ｃａｍｐｅｄ  ｎｏｒｍａｌｌｙ  ｓｔａｔｅ）にある場合に実行される。
【００１１】
前記第１の優先順位情報は、前記第１の優先順位情報が適用される時間区間であるタイマ値をさらに指示する。前記セル再選択を実行することは、前記第１の優先順位情報を受信する場合、前記タイマ値のタイマを開始させることを含む。
【００１２】
前記セル再選択を実行することは、前記タイマが満了される場合、前記第１の優先順位情報の適用を中断することをさらに含む。
【００１３】
前記セル再選択を実行することは、前記端末が任意セルキャンプ状態（ｃａｍｐｅｄ  ｏｎ  ａｎｙ  ｃｅｌｌ  ｓｔａｔｅ）にある場合、前記セル再選択に前記第２の優先順位情報を適用することを含む。
【００１４】
前記セル再選択を実行することは、前記端末が前記任意セルキャンプ状態にある場合、前記第１の優先順位情報を保存することをさらに含む。
【００１５】
前記端末が前記任意セルキャンプ状態にある場合、前記第１の優先順位情報は、前記セル再選択に適用されない。
【００１６】
他の態様において、無線通信システムで動作する無線装置が提供される。前記無線装置は、無線信号を送信及び受信するＲＦ（Ｒａｄｉｏ  Ｆｒｅｑｕｅｎｃｙ）部及び前記ＲＦ部と機能的に結合して動作するプロセッサを含む。前記プロセッサは、少なくとも一つの周波数に対する第１の優先順位情報を受信し、前記少なくとも一つの周波数に対する第２の優先順位情報を受信し、及び前記無線装置の状態によって、前記第１の優先順位情報及び前記第２の優先順位情報のうちいずれか一つを選択的に適用することでセル再選択を実行するように設定される。前記第１の優先順位情報は、接続拒絶メッセージを介して提供される。前記少なくとも一つの周波数に対する優先順位が低下されることを指示する。前記第２の優先順位情報は、現在セルからシステム情報を介して提供される。
本明細書は、例えば、以下の項目も提供する。
（項目１）
無線通信システムにおける端末により実行されるセル再選択方法において、前記方法は、
少なくとも一つの周波数に対する第１の優先順位情報を受信し；
前記少なくとも一つの周波数に対する第２の優先順位情報を受信し；及び、
前記端末の状態によって、前記第１の優先順位情報及び前記第２の優先順位情報のうちいずれか一つを選択的に適用することでセル再選択を実行すること；を含み、
前記第１の優先順位情報は、接続拒絶メッセージを介して提供され、前記少なくとも一つの周波数に対する優先順位が低下されることを指示し、及び
前記第２の優先順位情報は、現在セルからシステム情報を介して提供されることを特徴とする方法。
（項目２）
前記セル再選択を実行することは、前記少なくとも一つの周波数が最低優先順位になることを考慮することによって、前記セル再選択に前記第１の優先順位情報を適用することを含むことを特徴とする項目１に記載の方法。
（項目３）
前記第１の優先順位情報を適用することは、前記端末が正規キャンプ状態（ｃａｍｐｅｄ  ｎｏｒｍａｌｌｙ  ｓｔａｔｅ）にある場合に実行されることを特徴とする項目２に記載の方法。
（項目４）
前記第１の優先順位情報は、前記第１の優先順位情報が適用される時間区間であるタイマ値をさらに指示し、及び前記セル再選択を実行することは、前記第１の優先順位情報を受信する場合、前記タイマ値のタイマを開始させることを含むことを特徴とする項目２に記載の方法。
（項目５）
前記セル再選択を実行することは、前記タイマが満了される場合、前記第１の優先順位情報の適用を中断することをさらに含むことを特徴とする項目４に記載の方法。
（項目６）
前記セル再選択を実行することは、前記端末が任意セルキャンプ状態（ｃａｍｐｅｄ  ｏｎ  ａｎｙ  ｃｅｌｌ  ｓｔａｔｅ）にある場合、前記セル再選択に前記第２の優先順位情報を適用することを含むことを特徴とする項目１に記載の方法。
（項目７）
前記セル再選択を実行することは、前記端末が前記任意セルキャンプ状態にある場合、前記第１の優先順位情報を保存することをさらに含むことを特徴とする項目６に記載の方法。
（項目８）
前記端末が前記任意セルキャンプ状態にある場合、前記第１の優先順位情報は、前記セル再選択に適用されないことを特徴とする項目７に記載の方法。
（項目９）
無線通信システムで動作する無線装置において、前記無線装置は、
無線信号を送信及び受信するＲＦ（Ｒａｄｉｏ  Ｆｒｅｑｕｅｎｃｙ）部；及び
前記ＲＦ部と機能的に結合して動作するプロセッサ；を含み、前記プロセッサは、
少なくとも一つの周波数に対する第１の優先順位情報を受信し、
前記少なくとも一つの周波数に対する第２の優先順位情報を受信し、及び
前記無線装置の状態によって、前記第１の優先順位情報及び前記第２の優先順位情報のうちいずれか一つを選択的に適用することでセル再選択を実行するように設定され、
前記第１の優先順位情報は、接続拒絶メッセージを介して提供され、前記少なくとも一つの周波数に対する優先順位が低下されることを指示し、及び
前記第２の優先順位情報は、現在セルからシステム情報を介して提供されることを特徴とする無線装置。
（項目１０）
前記セル再選択を実行することは、前記少なくとも一つの周波数が最低優先順位になることを考慮することによって、前記セル再選択に前記第１の優先順位情報を適用することを含むことを特徴とする項目９に記載の無線装置。
（項目１１）
前記第１の優先順位情報を適用することは、前記無線装置が正規キャンプ状態（ｃａｍｐｅｄ  ｎｏｒｍａｌｌｙ  ｓｔａｔｅ）にある場合に実行されることを特徴とする項目１０に記載の無線装置。
（項目１２）
前記第１の優先順位情報は、前記第１の優先順位情報が適用される時間区間であるタイマ値をさらに指示し、及び前記セル再選択を実行することは、前記第１の優先順位情報を受信する場合、前記タイマ値のタイマを開始させることを含むことを特徴とする項目１０に記載の無線装置。
（項目１３）
前記セル再選択を実行することは、前記タイマが満了される場合、前記第１の優先順位情報の適用を中断することをさらに含むことを特徴とする項目１２に記載の無線装置。
（項目１４）
前記セル再選択を実行することは、前記無線装置が任意セルキャンプ状態（ｃａｍｐｅｄ  ｏｎ  ａｎｙ  ｃｅｌｌ  ｓｔａｔｅ）にある場合、前記セル再選択に前記第２の優先順位情報を適用することを含むことを特徴とする項目９記載の無線装置。
（項目１５）
前記セル再選択を実行することは、前記無線装置が前記任意セルキャンプ状態にある場合、前記第１の優先順位情報を保存することをさらに含むことを特徴とする項目１４に記載の無線装置。
（項目１６）
前記無線装置が前記任意セルキャンプ状態にある場合、前記第１の優先順位情報は、前記セル再選択に適用されないことを特徴とする項目１５に記載の無線装置。
【発明の効果】
【００１７】
前述した本発明の実施例に係る優先順位ハンドリングに基づくセル再選択方法によると、端末のキャンプオン状態によって選択的に優先順位が適用されることでセル再選択が実行されることができる。ネットワークが接続確立拒絶による最低優先順位を端末に指示した状況で、端末は、現在通信環境に応じて柔軟にセル再選択を実行することができる。それによって、端末がネックワークから接続確立拒絶による最低優先順位の指示を受けても、端末が受容可能なセルまたは正規セルにキャンプオンできる機会が低下されないようにすることができる。その結果、端末は、より適合したサービスを提供することができるセルにキャンプオンして接近を試みるようになってネットワークからより効率的にサービスの提供を受けることができる。
【図面の簡単な説明】
【００１８】
【図１】本発明が適用される無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＲＲＣアイドル状態の端末の動作を示す流れ図である。
【図５】ＲＲＣ接続を確立する過程を示す流れ図である。
【図６】ＲＲＣ接続再設定過程を示す流れ図である。
【図７】ＲＲＣ接続再確立手順を示す。
【図８】本発明の実施例に係る優先順位ハンドリングに基づくセル再選択方法を示す流れ図である。
【図９】本発明の実施例に係る優先順位ハンドリングに基づくセル再選択方法の一例を示す流れ図である。
【図１０】本発明の実施例に係る優先順位ハンドリングに基づくセル再選択方法の他の一例を示す流れ図である。
【図１１】本発明の実施例が具現される無線装置を示すブロック図である。
【発明を実施するための形態】
【００１９】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２０】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２１】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２２】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２３】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２４】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００２５】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴に送信されるかによって分類される。
【００２６】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２７】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルに提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２８】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２９】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連し、論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３０】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３１】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられることができる。ＳＲＢは、制御平面でＲＲＣメッセージを送信する通路として使われ、ＤＲＢは、ユーザ平面でユーザデータを送信する通路として使われる。
【００３２】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、確立されない場合、ＲＲＣアイドル（ＲＲＣ  ｉｄｌｅ）状態になる。
【００３３】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）とがある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルには、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）とがある。
【００３４】
トランスポートチャネルの上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３５】
物理チャネル（Ｐｈｙｓｉｃａｌ  Ｃｈａｎｎｅｌ）は、時間領域で複数個のＯＦＤＭシンボルと、周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３６】
以下、端末のＲＲＣ状態（ＲＲＣ  ｓｔａｔｅ）とＲＲＣ接続方法に対して詳述する。
【００３７】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続されている場合はＲＲＣ接続状態といい、接続されていない場合はＲＲＣアイドル状態という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することはできず、セルより大きい地域単位であるトラッキング領域（Ｔｒａｃｋｉｎｇ  Ａｒｅａ）単位にＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００３８】
ユーザが端末の電源を最初にオンした時、端末は、まず、適切なセルを探索した後、該当セルでＲＲＣアイドル状態にとどまる。ＲＲＣアイドル状態の端末は、ＲＲＣ接続を確立する必要がある時になってはじめてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態にあった端末がＲＲＣ接続を確立する必要がある場合は多様であり、例えば、ユーザの通話試みなどの理由でアップリンクデータ送信が必要な場合、またはＥ−ＵＴＲＡＮからページング（ｐａｇｉｎｇ）メッセージを受信した場合、これに対する応答メッセージ送信などを挙げることができる。
【００３９】
ＲＲＣ階層の上位に位置するＮＡＳ（Ｎｏｎ−Ａｃｃｅｓｓ  Ｓｔｒａｔｕｍ）階層は、セション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００４０】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態になる。
【００４１】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあったＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なくセル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態の端末の位置が、ネットワークが知っている位置と異なる場合、端末は、トラッキング領域更新（Ｔｒａｃｋｉｎｇ  Ａｒｅａ  Ｕｐｄａｔｅ）手順を介してネットワークに端末の該当位置を知らせる。
【００４２】
以下、システム情報（Ｓｙｓｔｅｍ  Ｉｎｆｏｒｍａｔｉｏｎ）に対する説明である。
【００４３】
システム情報は、端末が基地局に接続するために知らなければならない必須情報を含む。したがって、端末は、基地局に接続する前にシステム情報を全部受信しなければならず、また、常に最新システム情報を有していなければならない。また、前記システム情報は、一セル内の全ての端末が知らなければならない情報であるため、基地局は、周期的に前記システム情報を送信する。システム情報は、ＭＩＢ（Ｍａｓｔｅｒ  Ｉｎｆｏｒｍａｔｉｏｎ  Ｂｌｏｃｋ）及び複数のＳＩＢ（Ｓｙｓｔｅｍ  Ｉｎｆｏｒｍａｔｉｏｎ  Ｂｌｏｃｋ）に分けられる。
【００４４】
ＭＩＢは、セルから他の情報のために取得されることが要求される最も必須で且つ最も頻繁に送信されるパラメータの制限された個数を含むことができる。端末は、ダウンリンク同期化以後に最も先にＭＩＢを探す。ＭＩＢは、ダウンリンクチャネル帯域幅、ＰＨＩＣＨ設定、同期化をサポートしてタイミング基準として動作するＳＦＮ、及びｅＮＢ送信アンテナ設定のような情報を含むことができる。ＭＩＢは、ＢＣＨ上にブロードキャスト送信されることができる。
【００４５】
含まれているＳＩＢのうち、ＳＩＢ１（ＳｙｓｔｅｍＩｎｆｏｒｍａｔｉｏｎＢｌｏｃｋＴｙｐｅ１）は“ＳｙｓｔｅｍＩｎｆｏｒｍａｔｉｏｎＢｌｏｃｋＴｙｐｅ１”メッセージに含まれて送信され、ＳＩＢ１を除外した他のＳＩＢは、システム情報メッセージに含まれて送信される。ＳＩＢをシステム情報メッセージにマッピングさせることは、ＳＩＢ１に含まれているスケジューリング情報リストパラメータにより流動的に設定されることができる。ただ、各ＳＩＢは、単一システム情報メッセージに含まれ、同じスケジューリング要求値（例えば、周期）を有するＳＩＢのみが同じシステム情報メッセージにマッピングされることができる。また、ＳＩＢ２（ＳｙｓｔｅｍＩｎｆｏｒｍａｔｉｏｎＢｌｏｃｋＴｙｐｅ２）は、常にスケジューリング情報リストのシステム情報メッセージリスト内の１番目のエントリに該当するシステム情報メッセージにマッピングされる。同じ周期内に複数のシステム情報メッセージが送信されることができる。ＳＩＢ１及び全てのシステム情報メッセージは、ＤＬ−ＳＣＨ上に送信される。
【００４６】
ブロードキャスト送信に加えて、Ｅ−ＵＴＲＡＮは、ＳＩＢ１が既存に設定された値と同じく設定されたパラメータを含んだまま専用シグナリング（ｄｅｄｉｃａｔｅｄ  ｓｉｇｎａｌｉｎｇ）されることができ、この場合、ＳＩＢ１は、ＲＲＣ接続再設定メッセージに含まれて送信されることができる。
【００４７】
ＳＩＢ１は、端末セル接近と関連している情報を含み、他のＳＩＢのスケジューリングを定義する。ＳＩＢ１は、ネットワークのＰＬＭＮ識別子、ＴＡＣ（Ｔｒａｃｋｉｎｇ  Ａｒｅａ  Ｃｏｄｅ）及びセルＩＤ、セルがキャンプオンすることができるセルであるかどうかを指示するセル禁止状態（ｃｅｌｌ  ｂａｒｒｉｎｇ  ｓｔａｔｕｓ）、セル再選択基準として使われるセル内に要求される最低受信レベル、及び他のＳＩＢの送信時間及び周期と関連している情報を含むことができる。
【００４８】
ＳＩＢ２は、全ての端末に共通される無線リソース設定情報を含むことができる。ＳＩＢ２は、アップリンク搬送波周波数及びアップリンクチャネル帯域幅、ＲＡＣＨ設定、ページ設定（ｐａｇｉｎｇ  ｃｏｎｆｉｇｕｒａｔｉｏｎ）、アップリンクパワー制御設定、サウンディング基準信号設定（Ｓｏｕｎｄｉｎｇ  Ｒｅｆｅｒｅｎｃｅ  Ｓｉｇｎａｌ  ｃｏｎｆｉｇｕｒａｔｉｏｎ）、ＡＣＫ／ＮＡＣＫ送信をサポートするＰＵＣＣＨ設定及びＰＵＳＣＨ設定と関連している情報を含むことができる。
【００４９】
端末は、システム情報の取得及び変更検知手順をＰＣｅｌｌに対してのみ適用することができる。ＳＣｅｌｌにおいて、Ｅ−ＵＴＲＡＮは、該当ＳＣｅｌｌが追加される時、ＲＲＣ接続状態動作と関連している全てのシステム情報を専用シグナリングを介して提供することができる。設定されたＳＣｅｌｌと関連しているシステム情報の変更時、Ｅ−ＵＴＲＡＮは、考慮されるＳＣｅｌｌを解除（ｒｅｌｅａｓｅ）して以後に追加可能であり、これは単一ＲＲＣ接続再設定メッセージと共に実行されることができる。Ｅ−ＵＴＲＡＮは、考慮されるＳＣｅｌｌ内でブロードキャストされた値と他のパラメータ値を専用シグナリングを介して設定することができる。
【００５０】
端末は、特定タイプのシステム情報に対してその有効性を保障しなければならず、このようなシステム情報を必須システム情報（ｒｅｑｕｉｒｅｄ  ｓｙｓｔｅｍ  ｉｎｆｏｒｍａｔｉｏｎ）という。必須システム情報は、下記のように定義されることができる。
【００５１】
−端末がＲＲＣアイドル状態である場合：端末は、ＳＩＢ２乃至ＳＩＢ８だけでなく、ＭＩＢ及びＳＩＢ１の有効なバージョンを有しているように保障しなければならず、これは考慮されるＲＡＴのサポートにしたがう。
【００５２】
−端末がＲＲＣ接続状態である場合：端末は、ＭＩＢ、ＳＩＢ１及びＳＩＢ２の有効なバージョンを有しているように保障しなければならない。
【００５３】
一般的にシステム情報は、取得後、最大３時間まで有効性が保障されることができる。
【００５４】
一般的に、ネットワークが端末に提供するサービスは、下記のように三つのタイプに区分することができる。また、どのようなサービスの提供を受けることができるかによって、端末は、セルのタイプも異なるように認識する。以下、サービスタイプを叙述した後、セルのタイプを叙述する。
【００５５】
１）制限的サービス（Ｌｉｍｉｔｅｄ  ｓｅｒｖｉｃｅ）：このサービスは、緊急呼び出し（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、受容可能なセル（ａｃｃｅｐｔａｂｌｅ  ｃｅｌｌ）で提供することができる。
【００５６】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｏｒ  ｎｏｒｍａｌ  ｃｅｌｌ）で提供することができる。
【００５７】
３）事業者サービス（Ｏｐｅｒａｔｏｒ  ｓｅｒｖｉｃｅ）：このサービスは、通信ネットワーク事業者のためのサービスを意味し、このセルは、通信ネットワーク事業者のみが使用することができ、一般ユーザは使用することができない。
【００５８】
セルが提供するサービスタイプと関連し、セルのタイプは、下記のように区分されることができる。
【００５９】
１）受容可能なセル（Ａｃｃｅｐｔａｂｌｅ  ｃｅｌｌ）：端末が制限された（Ｌｉｍｉｔｅｄ）サービスの提供を受けることができるセル。このセルは、該当端末立場で、禁止（ｂａｒｒｅｄ）されておらず、端末のセル選択基準を満たすセルである。
【００６０】
２）正規セル（Ｓｕｉｔａｂｌｅ  ｃｅｌｌ）：端末が正規サービスの提供を受けることができるセル。このセルは、受容可能なセルの条件を満たし、同時に追加条件を満たす。追加的な条件として、このセルは、該当端末が接続できるＰＬＭＮ（Ｐｕｂｌｉｃ  Ｌａｎｄ  Ｍｏｂｉｌｅ  Ｎｅｔｗｏｒｋ）所属でなければならず、端末のトラッキング領域（Ｔｒａｃｋｉｎｇ  Ａｒｅａ）更新手順の実行が禁止されないセルでなければならない。該当セルがＣＳＧセルである場合、端末がこのセルにＣＳＧメンバーとして接続可能なセルでなければならない。
【００６１】
３）禁止されたセル（Ｂａｒｒｅｄ  ｃｅｌｌ）：セルがシステム情報を介して禁止されたセルであるという情報をブロードキャストするセルである。
【００６２】
４）予約されたセル（Ｒｅｓｅｒｖｅｄ  ｃｅｌｌ）：セルがシステム情報を介して予約されたセルであるという情報をブロードキャストするセルである。
【００６３】
図４は、ＲＲＣアイドル状態の端末の動作を示す流れ図である。図４は、初期電源がオンされた端末がセル選択過程を経てネットワークに登録し、その後、必要な場合、セル再選択をする手順を示す。
【００６４】
図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオ接続技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することもでき、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されているものを使用することもできる。
【００６５】
端末は、測定した基地局と信号強度や品質が特定値より大きいセルの中から、最大値を有するセルを選択する（Ｃｅｌｌ  Ｓｅｌｅｃｔｉｏｎ）（Ｓ４２０）。これは電源がオンされた端末がセル選択を実行することであって、初期セル選択（ｉｎｉｔｉａｌ  ｃｅｌｌ  ｓｅｌｅｃｔｉｏｎ）という。セル選択手順に対して以後に詳述する。セル選択以後、端末は、基地局が周期的に送るシステム情報を受信する。前記特定値は、データ送／受信での物理的信号に対する品質の保障を受けるためにシステムで定義された値を意味する。したがって、適用されるＲＡＴによって、その値は異なる。
【００６６】
端末は、ネットワーク登録が必要な場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録するものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録する。
【００６７】
端末は、セルで提供されるサービス環境または端末の環境などに基づいてセル再選択を実行する（Ｓ４４０）。端末は、サービスを受けている基地局から測定した信号の強度や品質の値が、隣接したセルの基地局から測定した値より低い場合、端末が接続した基地局のセルより良い信号特性を提供する他のセルの中から一つを選択する。この過程を２番目の過程である初期セル選択（Ｉｎｉｔｉａｌ  Ｃｅｌｌ  Ｓｅｌｅｃｔｉｏｎ）と区分してセル再選択（Ｃｅｌｌ  Ｒｅ−Ｓｅｌｅｃｔｉｏｎ）という。このとき、信号特性の変化によって頻繁にセルが再選択されることを防止するために時間的な制限条件をおく。セル再選択手順に対して以後に詳述する。
【００６８】
図５は、ＲＲＣ接続を確立する過程を示す流れ図である。
【００６９】
端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００７０】
端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００７１】
図６は、ＲＲＣ接続再設定過程を示す流れ図である。ＲＲＣ接続再設定（ｒｅｃｏｎｆｉｇｕｒａｔｉｏｎ）は、ＲＲＣ接続の修正に使われる。これはＲＢ確立／修正（ｍｏｄｉｆｙ）／解除（ｒｅｌｅａｓｅ）、ハンドオーバ実行、測定セットアップ／修正／解除のために使われる。
【００７２】
ネットワークは、端末にＲＲＣ接続を修正するためのＲＲＣ接続再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再設定に対する応答として、ＲＲＣ接続再設定の成功的な完了を確認するために使われるＲＲＣ接続再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００７３】
以下、ＰＬＭＮ（ｐｕｂｌｉｃ  ｌａｎｄ  ｍｏｂｉｌｅ  ｎｅｔｗｏｒｋ）に対して説明する。
【００７４】
ＰＬＭＮは、モバイルネットワーク運営者により配置及び運用されるネットワークである。各モバイルネットワーク運営者は、一つまたはそれ以上のＰＬＭＮを運用する。各ＰＬＭＮは、ＭＣＣ（Ｍｏｂｉｌｅ  Ｃｏｕｎｔｒｙ  Ｃｏｄｅ）及びＭＮＣ（Ｍｏｂｉｌｅ  Ｎｅｔｗｏｒｋ  Ｃｏｄｅ）により識別されることができる。セルのＰＬＭＮ情報は、システム情報に含まれてブロードキャストされる。
【００７５】
ＰＬＭＮ選択、セル選択及びセル再選択において、多様なタイプのＰＬＭＮが端末により考慮されることができる。
【００７６】
ＨＰＬＭＮ（Ｈｏｍｅ  ＰＬＭＮ）：端末ＩＭＳＩのＭＣＣ及びＭＮＣとマッチングされるＭＣＣ及びＭＮＣを有するＰＬＭＮ
【００７７】
ＥＨＰＬＭＮ（Ｅｑｕｉｖａｌｅｎｔ  ＨＰＬＭＮ）：ＨＰＬＭＮと等価として取り扱われるＰＬＭＮ
【００７８】
ＲＰＬＭＮ（Ｒｅｇｉｓｔｅｒｅｄ  ＰＬＭＮ）：位置登録が成功的に終了されたＰＬＭＮ
【００７９】
ＥＰＬＭＮ（Ｅｑｕｉｖａｌｅｎｔ  ＰＬＭＮ）：ＲＰＬＭＮと等価として取り扱われるＰＬＭＮ
【００８０】
各モバイルサービス需要者は、ＨＰＬＭＮに加入する。ＨＰＬＭＮまたはＥＨＰＬＭＮにより端末に一般サービスが提供される時、端末は、ローミング状態（ｒｏａｍｉｎｇ  ｓｔａｔｅ）ではない。それに対し、ＨＰＬＭＮ／ＥＨＰＬＭＮ以外のＰＬＭＮにより端末にサービスが提供される時、端末は、ローミング状態であり、そのＰＬＭＮは、ＶＰＬＭＮ（Ｖｉｓｉｔｅｄ  ＰＬＭＮ）と呼ばれる。
【００８１】
端末は、初期に電源がオンされると、使用可能なＰＬＭＮ（ｐｕｂｌｉｃ  ｌａｎｄ  ｍｏｂｉｌｅ  ｎｅｔｗｏｒｋ）を検索し、サービスを受けることができる適切なＰＬＭＮを選択する。ＰＬＭＮは、モバイルネットワーク運営者（ｍｏｂｉｌｅ  ｎｅｔｗｏｒｋ  ｏｐｅｒａｔｏｒ）により配置され（ｄｅｐｌｏｙ）、または運営されるネットワークである。各モバイルネットワーク運営者は、一つまたはそれ以上のＰＬＭＮを運営する。それぞれのＰＬＭＮは、ＭＣＣ（ｍｏｂｉｌｅ  ｃｏｕｎｔｒｙ  ｃｏｄｅ）及びＭＮＣ（ｍｏｂｉｌｅ  ｎｅｔｗｏｒｋ  ｃｏｄｅ）により識別されることができる。セルのＰＬＭＮ情報は、システム情報に含まれてブロードキャストされる。端末は、選択したＰＬＭＮを登録しようと試みる。登録が成功した場合、選択されたＰＬＭＮは、ＲＰＬＭＮ（ｒｅｇｉｓｔｅｒｅｄ  ＰＬＭＮ）になる。ネットワークは、端末にＰＬＭＮリストをシグナリングすることができ、これはＰＬＭＮリストに含まれているＰＬＭＮをＲＰＬＭＮと同じＰＬＭＮであると考慮することができる。ネットワークに登録された端末は、常時ネットワークにより接近可能（ｒｅａｃｈａｂｌｅ）でなければならない。もし、端末がＥＣＭ−ＣＯＮＮＥＣＴＥＤ状態（同じくは、ＲＲＣ接続状態）にある場合、ネットワークは、端末がサービスを受けていることを認知する。しかし、端末がＥＣＭ−ＩＤＬＥ状態（同じくは、ＲＲＣアイドル状態）にある場合、端末の状況がｅＮＢでは有効でないが、ＭＭＥには格納されている。この場合、ＥＣＭ−ＩＤＬＥ状態の端末の位置は、ＴＡ（ｔｒａｃｋｉｎｇ  Ａｒｅａ）のリストの粒度（ｇｒａｎｕｌａｒｉｔｙ）を介してＭＭＥにのみ知らされる。単一ＴＡは、ＴＡが所属されたＰＬＭＮ識別子で構成されたＴＡＩ（ｔｒａｃｋｉｎｇ  ａｒｅａ  ｉｄｅｎｔｉｔｙ）及びＰＬＭＮ内のＴＡを唯一に表現するＴＡＣ（ｔｒａｃｋｉｎｇ  ａｒｅａ  ｃｏｄｅ）により識別される。
【００８２】
その後、選択したＰＬＭＮが提供するセルの中から、前記端末が適切なサービスの提供を受けることができる信号品質と特性を有するセルを選択する。
【００８３】
以下、端末がセルを選択する手順に対して詳細に説明する。
【００８４】
電源がオンされ、またはセルにとどまっている時、端末は、適切な品質のセルを選択／再選択することでサービスを受けるための手順を実行する。
【００８５】
ＲＲＣアイドル状態の端末は、常に適切な品質のセルを選択することで、このセルを介してサービスの提供を受けるために準備していなければならない。例えば、電源がオンされた端末は、ネットワークに登録をするために適切な品質のセルを選択しなければならない。ＲＲＣ接続状態にあった前記端末がＲＲＣアイドル状態に進入すると、前記端末は、ＲＲＣアイドル状態にとどまるセルを選択しなければならない。このように、前記端末がＲＲＣアイドル状態のようなサービス待機状態にとどまるために、一定条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態にとどまるセルを現在決定しない状態で実行するため、可能の限り速かにセルを選択することが重要である。したがって、一定基準以上の無線信号品質を提供するセルの場合、たとえ、このセルが端末に最も良い無線信号品質を提供するセルでないとしても、端末のセル選択過程で選択されることができる。
【００８６】
以下、３ＧＰＰ  ＴＳ  ３６．３０４  Ｖ８．５．０（２００９−０３）“Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ（Ｒｅｌｅａｓｅ８）”を参照し、３ＧＰＰ  ＬＴＥにおいて、端末がセルを選択する方法及び手順に対して詳述する。
【００８７】
セル選択過程は、大いに、二つに分けられる。
【００８８】
まず、初期セル選択過程では、前記端末が無線チャネルに対する事前情報がない。したがって、前記端末は、適切なセルを探すために全ての無線チャネルを検索する。各チャネルにおいて、前記端末は、最も強いセルを探す。以後、前記端末がセル選択基準を満たす適切な（ｓｕｉｔａｂｌｅ）セルを探すと、該当セルを選択する。
【００８９】
次に、端末は、格納された情報を活用し、またはセルで放送している情報を活用してセルを選択することができる。したがって、初期セル選択過程に比べてセル選択が迅速である。端末がセル選択基準を満たすセルを探すと、該当セルを選択する。もし、この過程を介してセル選択基準を満たす適切なセルを探すことができない場合、端末は、初期セル選択過程を実行する。
【００９０】
前記端末がセル選択過程を介してあるセルを選択した以後、端末の移動性または無線環境の変化などにより端末と基地局との間の信号の強度や品質が変わることができる。したがって、もし、選択したセルの品質が低下される場合、端末は、より良い品質を提供する他のセルを選択することができる。このようにセルを再選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００９１】
無線信号の品質観点外に、ネットワークは、周波数別に優先順位を決定して端末に知らせることができる。このような優先順位を受信した端末は、セル再選択過程で、この優先順位を無線信号品質基準より優先的に考慮するようになる。
【００９２】
前記のように、無線環境の信号特性によってセルを選択または再選択する方法があり、セル再選択において、再選択のためのセルを選択するとき、セルのＲＡＴと周波数（ｆｒｅｑｕｅｎｃｙ）特性によって下記のようなセル再選択方法がある。
【００９３】
−イントラ周波数（Ｉｎｔｒａ−ｆｒｅｑｕｅｎｃｙ）セル再選択：端末がキャンプ（ｃａｍｐ）中であるセルと同じＲＡＴ及び同じ中心周波数（ｃｅｎｔｅｒ−ｆｒｅｑｕｅｎｃｙ）を有するセルを再選択
【００９４】
−インター周波数（Ｉｎｔｅｒ−ｆｒｅｑｕｅｎｃｙ）セル再選択：端末がキャンプ中であるセルと同じＲＡＴ及び異なる中心周波数を有するセルを再選択
【００９５】
−インターＲＡＴ（Ｉｎｔｅｒ−ＲＡＴ）セル再選択：端末がキャンプ中であるＲＡＴと異なるＲＡＴを使用するセルを再選択
【００９６】
セル再選択過程の原則は、下記の通りである。
【００９７】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００９８】
第二に、セル再選択は、セル再選択基準に基づいて実行される。セル再選択基準は、サービングセル及び隣接セルの測定に関連して下記のような特性を有している。
【００９９】
イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序を定める作業である。最も良い指標を有するセルを一般的に最高順位セル（ｈｉｇｈｅｓｔ  ｒａｎｋｅｄ  ｃｅｌｌ）という。セル指標値は、端末が該当セルに対して測定した値を基本にし、必要によって、周波数オフセットまたはセルオフセットを適用した値である。
【０１００】
インター周波数セル再選択は、ネットワークにより提供された周波数の優先順位に基づいて行われる。端末は、最も高い周波数の優先順位を有する周波数にキャンプオン（ｃａｍｐ  ｏｎ）することができるように試みる。ネットワークは、ブロードキャストシグナリング（ｂｒｏａｄｃａｓｔ  ｓｉｇｎａｌｉｎｇ）を介してセル内の端末が共通的に適用する周波数の優先順位を提供し、または端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）といい、端末別にネットワークが設定するセル再選択優先順位を専用優先順位（ｄｅｄｉｃａｔｅｄ  ｐｒｉｏｒｉｔｙ）という。端末は、専用優先順位を受信すると、専用優先順位と関連している有効時間（ｖａｌｉｄｉｔｙ  ｔｉｍｅ）を共に受信することができる。端末は、専用優先順位を受信すると、共に受信した有効時間に設定された有効性タイマ（ｖａｌｉｄｉｔｙ  ｔｉｍｅｒ）を開始する。端末は、有効性タイマが動作する中、ＲＲＣアイドルモードで専用優先順位を適用する。有効性タイマが満了されると、端末は、専用優先順位を廃棄し、再び共用優先順位を適用する。
【０１０１】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【０１０２】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【０１０３】
イントラ周波数セル再選択またはインター周波数セル再選択のために、ネットワークは、端末にセル再選択に使われるセル再選択禁止リスト（ｂｌａｃｋ  ｌｉｓｔ）を提供することができる。禁止リストに含まれているセルに対し、端末は、セル再選択を実行しない。
【０１０４】
以下、セル再選択評価過程で実行するランキングに対して説明する。
【０１０５】
セルの優先順位を定める時に使われるランキング指標（ｒａｎｋｉｎｇ  ｃｒｉｔｅｒｉｏｎ）は、数式１のように定義される。
【０１０６】
【数１】
0005990335.tif 000002
【０１０７】
ここで、Ｒｓはサービングセルのランキング指標であり、Ｒｎは隣接セルのランキング指標であり、Ｑｍｅａｓ，ｓは端末がサービングセルに対して測定した品質値であり、Ｑｍｅａｓ，ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【０１０８】
イントラ周波数で、端末がサービングセルと隣接セルとの間のオフセット（Ｑｏｆｆｓｅｔｓ，ｎ）を受信した場合は、Ｑｏｆｆｓｅｔ＝Ｑｏｆｆｓｅｔｓ，ｎであり、端末がＱｏｆｆｓｅｔｓ，ｎを受信しない場合は、Ｑｏｆｆｓｅｔ＝０である。
【０１０９】
インター周波数で、端末が該当セルに対するオフセット（Ｑｏｆｆｓｅｔｓ，ｎ）を受信した場合は、Ｑｏｆｆｓｅｔ＝Ｑｏｆｆｓｅｔｓ，ｎ＋Ｑｆｒｅｑｕｅｎｃｙであり、端末がＱｏｆｆｓｅｔｓ，ｎを受信しない場合は、Ｑｏｆｆｓｅｔ＝Ｑｆｒｅｑｕｅｎｃｙである。
【０１１０】
サービングセルのランキング指標（Ｒｓ）と隣接セルのランキング指標（Ｒｎ）が互いに類似する状態で変動すると、変動結果、ランキング順位が頻繁に変わり、端末が二つのセルを交互に再選択することができる。Ｑｈｙｓｔは、セル再選択でヒステリシスを与え、端末が二つのセルを交互に再選択することを防止するためのパラメータである。
【０１１１】
端末は、前記数式によってサービングセルのＲｓ及び隣接セルのＲｎを測定し、ランキング指標値が最も大きい値を有するセルを最高順位（ｈｉｇｈｅｓｔ  ｒａｎｋｅｄ）セルと見なして、このセルを再選択する。
【０１１２】
前記基準によると、セル再選択において、セルの品質が最も主要な基準として作用することを確認することができる。もし、再選択したセルが正規セル（ｓｕｉｔａｂｌｅ  ｃｅｌｌ）でない場合、端末は、該当周波数または該当セルをセル再選択対象から除外する。
【０１１３】
以下、無線リンク失敗に対して説明する。
【０１１４】
端末は、サービスを受信するサービングセルとの無線リンクの品質維持のために持続的に測定を実行する。端末は、サービングセルとの無線リンクの品質悪化（ｄｅｔｅｒｉｏｒａｔｉｏｎ）により現在状況で通信が不可能かどうかを決定する。もし、サービングセルの品質があまりにも低くて通信がほぼ不可能な場合、端末は、現在状況を無線連結失敗であると決定する。
【０１１５】
もし、無線リンク失敗が決定されると、端末は、現在のサービングセルとの通信維持をあきらめ、セル選択（または、セル再選択）手順を介して新しいセルを選択し、新しいセルへのＲＲＣ接続再確立（ＲＲＣ  ｃｏｎｎｅｃｔｉｏｎ  ｒｅ−ｅｓｔａｂｌｉｓｈｍｅｎｔ）を試みる。
【０１１６】
３ＧＰＰ  ＬＴＥのスペックにおいて、正常に通信することができない場合として下記のような例示を挙げている。
【０１１７】
−端末の物理階層の無線品質測定結果に基づき、端末がダウンリンク通信品質に深刻な問題があると判断した場合（ＲＬＭ実行中、ＰＣｅｌｌの品質が低いと判断した場合）
【０１１８】
−ＭＡＣ副階層でランダムアクセス（ｒａｎｄｏｍ  ａｃｃｅｓｓ）手順が持続的に失敗してアップリンク送信に問題があると判断した場合
【０１１９】
−ＲＬＣ副階層でアップリンクデータ送信が持続的に失敗してアップリンク送信に問題があると判断した場合
【０１２０】
−ハンドオーバを失敗したと判断した場合
【０１２１】
−端末が受信したメッセージが完全性検査（ｉｎｔｅｇｒｉｔｙ  ｃｈｅｃｋ）を通過することができない場合
【０１２２】
以下、ＲＲＣ接続再確立（ＲＲＣ  ｃｏｎｎｅｃｔｉｏｎ  ｒｅ−ｅｓｔａｂｌｉｓｈｍｅｎｔ）手順に対し、より詳細に説明する。
【０１２３】
図７は、ＲＲＣ接続再確立手順を示す。
【０１２４】
図７を参照すると、端末は、ＳＲＢ０（Ｓｉｇｎａｌｉｎｇ  Ｒａｄｉｏ  Ｂｅａｒｅｒ  ＃０）を除外した設定されていた全ての無線ベアラ（ｒａｄｉｏ  ｂｅａｒｅｒ）使用を中断し、ＡＳ（Ａｃｃｅｓｓ  Ｓｔｒａｔｕｍ）の各副階層を初期化させる（Ｓ７１０）。また、各副階層及び物理階層を基本構成（ｄｅｆａｕｌｔ  ｃｏｎｆｉｇｕｒａｔｉｏｎ）に設定する。このような過程中、端末は、ＲＲＣ接続状態を維持する。
【０１２５】
端末は、ＲＲＣ接続再設定手順を実行するためのセル選択手順を実行する（Ｓ７２０）。ＲＲＣ接続再確立手順のうち、セル選択手順は、端末がＲＲＣ接続状態を維持しているにもかかわらず、端末がＲＲＣアイドル状態で実行するセル選択手順と同様に実行されることができる。
【０１２６】
端末は、セル選択手順を実行した後、該当セルのシステム情報を確認することで該当セルが適合したセルかどうかを判断する（Ｓ７３０）。もし、選択されたセルが適切なＥ−ＵＴＲＡＮセルであると判断された場合、端末は、該当セルにＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【０１２７】
一方、ＲＲＣ接続再確立手順を実行するためのセル選択手順を介して選択されたセルがＥ−ＵＴＲＡＮ以外の異なるＲＡＴを使用するセルであると判断された場合、ＲＲＣ接続再確立手順を中断し、端末は、ＲＲＣアイドル状態に進入する（Ｓ７５０）。
【０１２８】
端末は、セル選択手順及び選択したセルのシステム情報の受信を介して、制限された時間内にセルの適切性確認を終えるように具現されることができる。そのために、端末は、ＲＲＣ接続再確立手順の開始によってタイマを駆動させることができる。タイマは、端末が適合したセルを選択したと判断された場合、中断されることができる。タイマが満了された場合、端末は、ＲＲＣ接続再確立手順が失敗したと見なし、ＲＲＣアイドル状態に進入することができる。以下、このタイマを無線リンク失敗タイマという。ＬＴＥスペックＴＳ  ３６．３３１では、Ｔ３１１という名称のタイマが無線リンク失敗タイマとして活用されることができる。端末は、このタイマの設定値をサービングセルのシステム情報から取得することができる。
【０１２９】
端末からＲＲＣ接続再確立要求メッセージを受信し、要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【０１３０】
セルからＲＲＣ接続再確立メッセージを受信した端末は、ＳＲＢ１に対するＰＤＣＰ副階層とＲＬＣ副階層を再構成する。また、セキュリティ設定と関連している各種キー値を再計算し、セキュリティを担当するＰＤＣＰ副階層を新しく計算したセキュリティキー値で再構成する。それによって、端末とセルとの間のＳＲＢ１が開放され、ＲＲＣ制御メッセージを送受信することができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【０１３１】
それに対し、端末からＲＲＣ接続再確立要求メッセージを受信し、要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１３２】
ＲＲＣ接続再確立手順が成功的に実行されると、セルと端末は、ＲＲＣ接続再設定手順を実行する。それによって、端末は、ＲＲＣ接続再確立手順を実行する前の状態を回復し、サービスの連続性を最大限保障する。
【０１３３】
以下、ＲＲＣ接続拒絶と関連している端末及びネットワークの運営に対して説明する。ＲＲＣ接続確立手順において、端末のＲＲＣ接続要求メッセージに対応してネットワークがＲＲＣ接続拒絶メッセージを端末に送信する時、現在ネットワーク状況によって、ネットワークは、該当セル及び／または該当セルのＲＡＴに対して端末の接近を許容しないようにすることができる。そのために、ネットワークは、端末に対してネットワークへの接近を阻止することができるようにセル再選択優先順位と関連している情報及び／またはセル接近を制限するための接近制限情報をＲＲＣ接続拒絶メッセージに含ませることができる。
【０１３４】
ネットワークは、端末がセル再選択を実行するとき、最低優先順位を適用することを指示する最低優先順位要求情報をＲＲＣ接続拒絶メッセージに含ませることができる。最低優先順位要求情報は、最低優先順位が適用されるタイプを指示する最低優先順位タイプ情報及び最低優先順位の適用持続時間である最低優先順位タイマ情報を含むことができる。最低優先順位タイプ情報は、ＲＲＣ接続拒絶メッセージを送信したセルの周波数に対して最低優先順位を適用することを指示し、または該当セルのＲＡＴの全ての周波数に対して最低優先順位を適用することを指示するように設定されることができる。
【０１３５】
端末は、最低優先順位要求情報が含まれているＲＲＣ接続拒絶メッセージを受信すると、最低優先順位適用持続時間に設定されたタイマを開始させ、最低優先順位タイプ情報により指示された対象に対して最低優先順位を適用することでセル再選択を実行することができる。
【０１３６】
一方、ＲＲＣ接続拒絶メッセージを介して最低優先順位情報が提供される場合、ネットワークによりシグナリングされる再選択優先順位と衝突が発生できる。この場合、端末は、ＲＲＣ接続拒絶メッセージを介して提供された最低優先順位情報によって、優先的に特定周波数に対して最低優先順位を適用して運営するように具現されることができる。追加的に、ＲＲＣ接続拒絶メッセージによる最低優先順位情報は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）関心指示子、ＣＳＧ（Ｃｌｏｓｅｄ  Ｓｕｂｓｃｒｉｂｅｒ  Ｇｒｏｕｐ）セルと関連しているプロキシ指示子（ｐｒｏｘｙ  ｉｎｄｉｃａｔｉｏｎ）及びＩＤＣ干渉と関連しているＩＤＣ指示子のように端末生成指示子（ＵＥ−ｏｒｉｇｉｎａｔｅｄ  ｉｎｄｉｃａｔｉｏｎ）による黙示的優先順位の適用と衝突が発生できる。それによって、優先的に適用される優先順位は、端末またはネットワークの具現にしたがう。
【０１３７】
端末は、ＲＲＣアイドル状態でセル再選択を実行する時、システム情報を介して提供される優先順位よりＲＲＣ接続拒絶による最低優先順位適用要求情報のように専用シグナリングを介して提供された優先順位をより優先的に適用させることができる。ただし、端末が正規セルにキャンプオンしていない場合も、専用シグナリングを介して提供された優先順位を持続的に適用すると、端末が正規セルまたは受容可能なセルにキャンプオンすることを阻止する可能性を高める。それによって、端末は、制限的サービスの提供を受け、または何らのサービスの提供を受けることができない状態に陥るおそれがあり、これは端末に提供されるサービスの品質を低下させることができる。したがって、ＲＲＣアイドル状態の端末によるセル再選択において、端末の状態によって選択的に周波数の優先順位を適用するようにする方法が提供される必要がある。
【０１３８】
以下、本発明の実施例に係る優先順位ハンドリングに基づくセル再選択方法を説明するにあたって、専用シグナリングされた優先順位の適用に対してＲＲＣ接続拒絶による最低優先順位情報の適用を例示して説明する。ただし、本発明の範囲は、これに限定されるものではなく、ＲＲＣ接続拒絶による最低優先順位適用を含む一般的な専用シグナリングを介した優先順位のハンドリングに基づくセル再選択にも適用されることができる。
【０１３９】
図８は、本発明の実施例に係る優先順位ハンドリングに基づくセル再選択方法を示す流れ図である。
【０１４０】
図８を参照すると、端末は、以前サービングセルとＲＲＣ接続確立を試みたが、セルからＲＲＣ接続に対して拒絶されることができる。ＲＲＣ接続拒絶時、端末は、最低優先順位適用要求情報を取得することができる。端末は、最低優先順位適用要求情報を取得すると、それによって、少なくとも一つ以上の周波数及び／または特定ＲＡＴの全ての周波数に対して最低優先順位を適用することができる（Ｓ８１０）。端末は、最低優先順位適用要求情報の取得によって最低優先順位適用と関連している最低優先順位タイマを開始させることができる。
【０１４１】
端末は、最低優先順位を適用することでセル再選択を実行する（Ｓ８２０）。変更された優先順位によってセル再選択評価を実行することでターゲットセルが選択されることができる。端末は、選択されたターゲットセルにキャンプオンすることができる。ターゲットセルの特性によって端末のキャンプ状態が変更されることができる。端末のキャンプ状態変化は、下記の通りである。
【０１４２】
−正規キャンプ状態（正規セルにキャンプオンした状態、ｃａｍｐｅｄ  ｎｏｒｍａｌｌｙ  ｓｔａｔｅ）→任意セル選択状態：正規セルにも許容可能なセルにもキャンプオンしていない状態、ａｎｙ  ｃｅｌｌ  ｓｅｌｅｃｔｉｏｎ  ｓｔａｔｅ）：セル再選択を介して正規セルを探すことができない場合
【０１４３】
−任意セルキャンプ状態（正規セルでない許容可能なセルにキャンプオンした状態、ｃａｍｐｅｄ  ｏｎ  ａｎｙ  ｃｅｌｌ  ｓｔａｔｅ）→正規キャンプ状態：セル再選択を介して正規セルを探した場合
【０１４４】
−任意セルキャンプ状態→任意セル選択状態：セル再選択を介して許容可能なセルを探すことができない場合
【０１４５】
−任意セル選択状態→任意セルキャンプ状態：許容可能なセルを探した場合
【０１４６】
端末は、キャンプ状態によってセル再選択に適用する優先順位をハンドリングする（Ｓ８３０）。
【０１４７】
正規キャンプ状態にある場合、端末は、セルからブロードキャストされるシステム情報を介して提供された優先順位を基本的に適用し、専用シグナリングを介して提供された優先順位を優先的に適用する。例えば、正規キャンプ状態の端末がＲＲＣ接続拒絶による最低優先順位適用要求情報を受信した場合、端末は、最低優先順位適用要求情報による少なくとも一つの周波数に対しては最低優先順位を適用し、残りの周波数に対してはシステム情報を介して提供された優先順位を適用することに決定できる。
【０１４８】
端末が正規キャンプオン状態でない場合、端末の優先順位ハンドリング方法は、下記のように分けられて考慮されることができる。
【０１４９】
１．端末が任意セルキャンプ状態であり、または任意セル選択状態である場合、最低優先順位適用を中断する技法
【０１５０】
セル再選択のために優先順位をハンドリングするにあたって、端末は、正規キャンプオン状態でない場合、最低優先順位適用要求情報による最低優先順位適用を中断することができる。端末は、最低優先順位タイマが駆動中であるにもかかわらず、最低優先順位適用を中断することができる。この場合、端末は、セル再選択を実行するにあたって、システム情報を介して提供される優先順位のみを適用することに決定できる。
【０１５１】
正規キャンプ状態で任意セル選択状態になった場合、端末は、最低優先順位適用を中断することに決定できる。
【０１５２】
任意セル選択状態で既に最低優先順位適用を中断中に任意セルキャンプ状態になった場合、端末は、持続的に最低優先順位適用を中断することができる。
【０１５３】
端末は、最低優先順位適用を中断しても、最低優先順位適用要求情報を保存することができる。
【０１５４】
最低優先順位適用を中断する場合、端末は、最低優先順位タイマを持続的に動作させ、または中断させることができる。
【０１５５】
端末が正規セルを探してキャンプオンして正規キャンプ状態になった場合、最低優先順位タイマが駆動中である場合に限って、端末は、最低優先順位を適用することに決定できる。
【０１５６】
最低優先順位適用中断時、最低優先順位タイマが持続的に動作された場合、端末は、正規キャンプ状態になると、最低優先順位タイマの動作可否によって最低優先順位を適用し、または適用しない。
【０１５７】
最低優先順位適用中断時、最低優先順位タイマが中断された場合、端末は、正規キャンプ状態になることによって最低優先順位タイマを再開させて最低優先順位を適用することができる。
【０１５８】
一方、正規セルを探してキャンプオンして正規キャンプ状態になった場合、端末は、既存最低優先順位タイマの駆動可否と関係なく、最低優先順位を適用し、それによって、最低優先順位タイマを新しく駆動させることができる。最低優先順位タイマが中断された場合、残ったタイマ値に設定して駆動させることができる。最低優先順位タイマが中断され、または満了された場合、端末は、最低優先順位適用要求情報によるタイマ値に新しく設定して最低優先順位タイマを開始させることができる。
【０１５９】
追加的に、端末が最低優先順位適用を中断する場合、端末は、最低優先順位適用要求情報を解除させることができる。この場合、端末は、最低優先順位タイマをリセットさせることができる。
【０１６０】
最低優先順位適用中断時、最低優先順位適用要求情報を解除した場合、正規キャンプ状態になるにもかかわらず、最低優先順位に対する情報が存在せず、タイマが動作することができないため、端末は、最低優先順位を適用しない。
【０１６１】
２．端末が任意セル選択状態にある場合、最低優先順位適用を中断する技法
【０１６２】
正規キャンプオン状態及び／または任意セル状態で任意セル選択状態になった場合、端末は、最低優先順位適用要求情報による最低優先順位適用を中断することができる。端末は、最低優先順位タイマが駆動中であるにもかかわらず、最低優先順位適用を中断することができる。この場合、端末は、セル再選択を実行するにあたって、システム情報を介して提供される優先順位のみを適用することに決定できる。
【０１６３】
正規キャンプ状態で任意セル選択状態になった場合、端末は、最低優先順位適用を中断することに決定できる。
【０１６４】
任意セルキャンプ状態で任意セル選択状態になった場合、端末は、最低優先順位適用を中断することに決定できる。
【０１６５】
最低優先順位適用を中断することに決定した端末は、最低優先順位適用要求情報を保存することができる。
【０１６６】
最低優先順位適用を中断する場合、端末は、最低優先順位タイマを持続的に動作させ、または中断させることができる。
【０１６７】
最低優先順位適用中断時、最低優先順位タイマが持続的に動作中である場合、端末は、正規キャンプ状態または任意セルキャンプ状態になると、最低優先順位タイマの動作可否によって最低優先順位を適用し、または適用しない。
【０１６８】
最低優先順位適用中断時、最低優先順位タイマが中断された場合、端末は、正規キャンプ状態または任意セルキャンプ状態になることによって最低優先順位タイマを再開させて最低優先順位を適用することができる。任意セルキャンプ状態の端末は、既に最低優先順位が適用中である場合、最低優先順位タイマが動作中に最低優先順位を持続的に適用することができる。
【０１６９】
一方、正規セルまたは許容可能なセルを探してキャンプオンして正規キャンプ状態または任意セルキャンプ状態になった場合、端末は、既存最低優先順位タイマの駆動可否と関係なく、最低優先順位を適用し、それによって、最低優先順位タイマを新しく駆動させることができる。最低優先順位タイマが中断された場合、端末は、残ったタイマ値にタイマを設定して駆動させることができる。最低優先順位タイマが中断され、または満了された場合、端末は、最低優先順位適用要求情報によるタイマ値に新しくタイマを設定して開始させることができる。
【０１７０】
追加的に、端末が最低優先順位適用を中断する場合、端末は、最低優先順位適用要求情報を解除させることができる。この場合、端末は、最低優先順位タイマをリセットさせることができる。
【０１７１】
最低優先順位適用中断時、最低優先順位適用要求情報を解除した場合、正規キャンプ状態または任意セルキャンプ状態になるにもかかわらず、最低優先順位に対する情報が存在せず、タイマが動作することができないため、端末は、最低優先順位を適用しない。
【０１７２】
また、図８を参照すると、端末は、ハンドリングされた優先順位に基づいてセル再選択を実行する（Ｓ８４０）。端末は、少なくとも一つの周波数または特定ＲＡＴの全ての周波数に対して最低優先順位を適用し、残りの周波数に対してはシステム情報を介して提供された優先順位を適用することでセル再選択を実行することができる。または、端末は、全ての周波数に対してシステム情報を介して提供された優先順位を適用することでセル再選択を実行することができる。
【０１７３】
以下、図面を参照して本発明の実施例に対してより詳細に説明する。
【０１７４】
図９は、本発明の実施例に係る優先順位ハンドリングに基づくセル再選択方法の一例を示す流れ図である。
【０１７５】
図９に示す例示において、端末はＲＲＣアイドル状態、セル１は端末の正規セルであってｆ１上で運営、セル２は端末の許容可能なセルであってｆ２上で運営、セル３は端末の正規セルであってｆ３上で運営中であると仮定する。システム情報により提供された優先順位によると、ｆ１＞ｆ３＞ｆ２であると仮定する。また、図９に示す優先順位ハンドリングによると、最低優先順位適用は、端末が正規キャンプ状態にある場合に限ると仮定する。
【０１７６】
図９を参照すると、端末は、セル１とＲＲＣ接続確立を試みるが、ＲＲＣ接続拒絶メッセージをセル１から受信する（Ｓ９１０）。ＲＲＣ接続拒絶メッセージは、最低優先順位適用要求情報を含むことができる。最低優先順位適用要求情報は、ｆ１に対して最低優先順位を適用することを指示することができ、最低優先順位タイマ（ＴＬ）の設定値Ｔ０を指示することができる。ＲＲＣ接続拒絶メッセージ受信によって、端末は、ｆ１に対して最低優先順位を適用することに決定し、Ｔ０に設定されたＴＬを開始させる。
【０１７７】
端末は、セル再選択を実行する（Ｓ９２０）。
【０１７８】
端末のセル再選択にもかかわらず、端末は、正規セルを発見することができない場合がある。それによって、端末は、任意セル選択状態に進入する（Ｓ９３１）。
【０１７９】
任意セル選択状態に進入した端末は、優先順位ハンドリングを実行する（Ｓ９３２）。端末は、任意セル選択状態であるため、最低優先順位適用を中断し、システム情報を介して提供された優先順位のみを適用することに決定できる。それによって、端末は、ＴＬを中断させることができる。ただし、端末は、ＲＲＣ接続拒絶メッセージを介して取得した最低優先順位適用要求情報を持続的に保存することができる。
【０１８０】
端末は、最低優先順位が未適用された状態にセル再選択を実行する（Ｓ９３３）。端末は、システム情報を介して提供された優先順位のみを適用することでセル再選択を実行することができる。
【０１８１】
セル再選択により、端末は、許容可能なセルであるセル２を発見することができる。端末は、セル２にキャンプオンし（Ｓ９４１）、任意セルキャンプ状態に進入できる（Ｓ９４２）。
【０１８２】
端末は、任意セルキャンプ状態に進入することによる優先順位ハンドリングを実行することができる（Ｓ９４３）。端末は、正規キャンプ状態に変更されたものではないため、最低優先順位を持続的に適用せず、システム情報を介して提供された優先順位を適用することに決定できる。このとき、システム情報を介して提供された優先順位は、端末がキャンプオン中のセルであるセル２から提供された優先順位である。また、端末は、ＲＲＣ接続拒絶メッセージを介して取得した最低優先順位適用要求情報を持続的に保存することができる。
【０１８３】
端末は、セル再選択を実行する（Ｓ９４４）。端末は、システム情報を介して提供された優先順位のみを適用することでセル再選択を実行することができる。
【０１８４】
端末は、セル再選択により、正規セルであるセル３を発見することができる。端末は、セル３にキャンプオンし（Ｓ９５１）、正規キャンプ状態に進入できる（Ｓ９５２）。
【０１８５】
正規キャンプ状態に進入した端末は、優先順位ハンドリングを実行する（Ｓ９５３）。端末は、残っているＴＬを再開させることができる。再開されるＴＬの残った持続時間は、設定されたＴＬ持続時間であるＴ０から最初の中断時までＴＬの持続時間であるＴ１を引いた残りの持続時間Ｔ２である。それによって、端末は、ｆ１に対して最低優先順位を適用し、残りの周波数に対してシステム情報により提供された優先順位を適用することに決定できる。ここで、システム情報を介して提供された優先順位は、端末がキャンプオン中のセルであるセル３から提供された優先順位である。
【０１８６】
端末は、最低優先順位を適用することでセル再選択を実行することができる（Ｓ９５４）。端末は、ｆ１に対しては最低優先順位を適用し、ｆ２及びｆ３に対してはシステム情報を介して提供された優先順位を適用することでセル再選択を実行することができる。
【０１８７】
一方、端末がセル再選択を実行する中、ＴＬが満了されることができる。この場合、端末は、再び最低優先順位を適用せずにセル再選択を実行することができる（Ｓ９６１）。端末は、システム情報を介して提供された優先順位のみを適用することでセル再選択を実行することができる。
【０１８８】
端末は、最も優先順位が高いセル１をターゲットセルに選択し、セル１にキャンプオンすることができる（Ｓ９６２）。
【０１８９】
図１０は、本発明の実施例に係る優先順位ハンドリングに基づくセル再選択方法の他の一例を示す流れ図である。
【０１９０】
図１０に示す例示において、最低優先順位適用は、端末が正規キャンプ状態であり、または任意セルキャンプ状態である場合に限ると仮定する。その他の通信環境は、図９と同様であると仮定する。
【０１９１】
図９と比較して、任意セル選択状態の端末は、セル２を発見し、セル２にキャンプオンし（Ｓ１０１１）、任意セルキャンプ状態に進入時（Ｓ１０１２）、最低優先順位を適用することができる。したがって、端末は、優先順位ハンドリングを実行するにあたって、残っているＴＬを再開させることができる。ＴＬの持続時間は、図９と同様に、Ｔ０からＴ１を引いた残りの持続時間Ｔ２である。また、ｆ１に対して最低優先順位を適用し、残りの周波数に対してシステム情報を介して提供された優先順位を適用することに決定できる。ここで、システム情報を介して提供された優先順位は、端末が現在キャンプオン中のセルであるセル２から提供された優先順位である。
【０１９２】
端末は、最低優先順位を適用することでセル再選択を実行することができる（Ｓ１０１４）。端末は、ｆ１に対しては最低優先順位を適用し、ｆ２及びｆ３に対してはシステム情報を介して提供された優先順位を適用することでセル再選択を実行することができる。
【０１９３】
最低優先順位が適用されて実行されたセル再選択の結果によって、端末は、ｆ３上で運営中のセル３をターゲットセルに決定し、セル３にキャンプオンできる（Ｓ１０２１）。それによって、端末は、正規キャンプ状態に進入できる（Ｓ１０２２）。
【０１９４】
一方、端末が正規キャンプ状態に進入したにもかかわらず、ＴＬが満了されることができる。それによって、端末は、最低優先順位適用を中断し、システム情報を介して提供された優先順位に基づいてセル再選択を実行する（Ｓ１０２３）。ここで、システム情報を介して提供された優先順位は、現在端末がキャンプオン中のセルであるセル３から提供された優先順位である。
【０１９５】
端末は、優先順位が最も高いセル１をターゲットセルに選択し、セル１にキャンプオンできる（Ｓ１０２４）。
【０１９６】
前述した本発明の実施例に係る優先順位ハンドリングに基づくセル再選択方法によると、端末のキャンプオン状態によって選択的に優先順位が適用されてセル再選択が実行されることができる。ネットワークが接続確立拒絶による最低優先順位を端末に指示した状況で、端末は、現在通信環境に応じてより柔軟にセル再選択を実行することができる。それによって、端末がネックワークから接続確立拒絶による最低優先順位の指示を受けても、端末が受容可能なセルまたは正規セルにキャンプオンできる機会が低下されないようにすることができる。その結果、端末は、より適合したサービスを提供することができるセルにキャンプオンして接近を試みるようになってネットワークからより効率的にサービスの提供を受けることができる。
【０１９７】
図１１は、本発明の実施例が具現される無線装置を示すブロック図である。
【０１９８】
図１１を参照すると、無線装置１１００は、プロセッサ１１１０、メモリ１１２０及びＲＦ部（ｒａｄｉｏ  ｆｒｅｑｕｅｎｃｙ  ｕｎｉｔ）１１３０を含む。プロセッサ１１１０は、提案された機能、過程及び／または方法を具現する。プロセッサ１１１０は、無線装置のキャンプ状態によって優先順位をハンドリングするよう設定されることができる。プロセッサ１１１０は、ハンドリングされた優先順位に基づいてセル再選択を実行するように設定されることができる。プロセッサ１１１０は、本発明の実施例に係るセル再選択実行方法を実行し、優先順位を選択的に適用して実行するように設定されることができる。プロセッサ１１１０は、図８乃至図１０を参照して詳述した本発明の実施例を具現するように設定されることができる。
【０１９９】
ＲＦ部１１３０は、プロセッサ１１１０と連結されて無線信号を送信及び受信する。
【０２００】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段によりプロセッサと連結されることができる。
【０２０１】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0005990335.tif 000003
【図２】
0005990335.tif 000004
【図３】
0005990335.tif 000005
【図４】
0005990335.tif 000006
【図５】
0005990335.tif 000007
【図６】
0005990335.tif 000008
【図７】
0005990335.tif 000009
【図８】
0005990335.tif 000010
【図９】
0005990335.tif 000011
【図１０】
0005990335.tif 000012
【図１１】
0005990335.tif 000013